(57)【特許請求の範囲】
【請求項１】
入力映像信号をサンプリングクロックに従いサンプリングしてデジタル画像信号に変換するＡ／Ｄ変換器と、該デジタル画像信号が書き込まれるフレームメモリと、該フレームメモリから読み出されたデジタル画像信号に従い映像を表示する表示手段とを含む表示装置におけるサンプリングクロックの自動位相調整方法において、
サンプリングクロックの位相の現在の値を第１の位相値として記憶するステップと、
前記フレームメモリへのデジタル画像信号の書き込みを停止するステップと、
サンプリングクロックの位相を第２の位相値に設定し、該設定されたサンプリングクロックで入力映像信号を一定数サンプリングするステップと、
該サンプリングにより得られたデジタル画像信号の値から該設定されたサンプリングクロックと入力映像信号との間の位相関係を表す位相データを求めるステップと、
サンプリングクロックの位相を前記第１の位相値に戻して入力映像信号をサンプリングするステップと、
前記フレームメモリへのデジタル画像信号の書き込みを再開し、表示画面を更新するステップと
からなる処理を、前記第２の位相値を所定の値だけ増分させながら所定回数実行し、サンプリングクロックの位相値を、該処理により得られた所定回数分の前記位相データに基づいて決定される最適位相値に設定することを特徴とするサンプリングクロックの自動位相調整方法。
【請求項２】
前記位相データは、隣り合う２つのデジタル画像信号の値の差の絶対値を前記一定数のデジタル画像信号について累積した値であり、該累積値が極小になる２つの位相データのそれぞれの第２の位相値の中間値を最適位相値とすることを特徴とする請求項１に記載の方法。
【請求項３】
前記位相データは、時間的に前後する２つのフレーム間で、対応する画素位置のデジタル画像信号同士が全て一致する水平走査ラインの個数であり、該個数が最大となる位相データの前記第２の位相値を最適位相値とすることを特徴とする請求項１に記載の方法。
【請求項４】
入力映像信号をサンプリングクロックに従いサンプリングしてデジタル画像信号に変換するＡ／Ｄ変換器と、該デジタル画像信号が書き込まれるフレームメモリと、該フレームメモリから読み出されたデジタル画像信号に従い映像を表示する表示手段とを含む表示装置において、
サンプリングクロックの位相の現在の値を第１の位相値として記憶するステップと、
前記フレームメモリへのデジタル画像信号の書き込みを停止するステップと、
サンプリングクロックの位相を第２の位相値に設定し、該設定されたサンプリングクロックで入力映像信号を一定数サンプリングするステップと、
該サンプリングにより得られたデジタル画像信号の値から該設定されたサンプリングクロックと入力映像信号との間の位相関係を表す位相データを求めるステップと、
サンプリングクロックの位相を前記第１の位相値に戻して入力映像信号をサンプリングするステップと、
前記フレームメモリへのデジタル画像信号の書き込みを再開し、表示画面を更新するステップと
からなる処理を、前記第２の位相値を所定の値だけ増分させながら所定回数実行し、サンプリングクロックの位相値を、該処理により得られた所定回数分の前記位相データに基づいて決定される最適位相値に設定する、サンプリングクロックの自動位相調整手段を備えたことを特徴とする表示装置。
【発明の詳細な説明】
【０００１】
【発明の属する技術分野】
本発明は、入力映像信号のサンプリングクロック位相を自動的に最適な値に調整する方法、及びサンプリングクロック位相の自動調整機能を備えた表示装置に関する。
【０００２】
【従来の技術】
パソコンやＷＳ等においては、映像信号レベルは水平同期信号よりも短い一定の周期（以下ドット周期という）で変化しており、液晶表示装置のようなマトリクス表示装置に映像を表示する場合やメモリに書き込み信号処理を行うためには、ドット周期に一致したクロック（以下、ドットクロックという）で映像信号をサンプリングする必要があり、また、ドットクロックの位相が最適な値からずれると、表示画像ににじみが発生し画質が低下するので、ドットクロックの位相を最適な値に保つ必要がある。
【０００３】
ドットクロックの位相を自動調整する従来技術の例として、特開平１１−２８２３９９号公報に開示されたドットクロック再生装置の自動位相調整の処理内容を図３を参照して説明する。図３の処理は、ブロックＡ及びブロックＢからなり、ブロックＡではドットクロックの位相を変化させながらサンプリングすることにより位相データを取り込み、ブロックＢでは取り込んだ位相データから最適位相を演算により求めている。
【０００４】
ブロックＡでは、クロック位相をｐ０に設定し（ステップ１）、そのときの位相データをｒ（ｐ０）を記憶する（ステップ２）。次に、ステップ１に戻り、クロック位相を微小量δずらし、そのときの位相データｒ（ｐ１）＝ｒ（ｐ０＋δ）を記憶する（ステップ２）。以上の動作をｎ回繰り返す。ｎ回繰り返したときのクロック位相ｐｎはｐ０＋ｎ・δであり、そのときの位相データはｒ（ｐｎ）で表される。
【０００５】
ブロックＢは、得られた位相データからクロックの最適位相を計算する処理を実行する部分であるが、本発明とは直接関係しないので説明は省略する。
【０００６】
上記の処理において、例えばクロック位相をｐ０、ｐ１、・・・ｐ３２まで変化させるようにした場合、ｐ１６が最適な位相である時には、クロック位相がｐ１６から離れるに従い表示画面のにじみが大きくなる。即ち、クロック位相の調整時、クロック位相をｐ０からｐ３２まで変化させて行くと、表示画面はにじみ状態（クロック位相が最適値からずれている状態）からにじみのない最適状態（クロック位相が最適値である状態）に移行し、再びにじみ状態に戻ることになる。
【０００７】
【発明が解決しようとする課題】
このように、上記のような従来の手法では、サンプリングクロック位相調整中は、表示画面ににじみが発生し、画質の低下がユーザに認識されるため、表示装置の使用中は、サンプリングクロック位相の調整を行い難いという問題がある。
【０００８】
本発明の課題は、表示装置の使用中に、表示画面ににじみ等の画質低下を発生させることなく、サンプリングクロックの位相を最適な値に自動調整できるようにすることである。
【０００９】
【課題を解決するための手段】
上記課題は、入力映像信号をサンプリングクロックに従いサンプリングしてデジタル画像信号に変換するＡ／Ｄ変換器と、該デジタル画像信号が書き込まれるフレームメモリと、該フレームメモリから読み出されたデジタル画像信号に従い映像を表示する表示手段とを含む表示装置におけるサンプリングクロックの自動位相調整方法において、サンプリングクロックの位相の現在の値を第１の位相値として記憶した後に、前記フレームメモリへのデジタル画像信号の書き込みを停止するステップと、サンプリングクロックの位相を第２の位相値に設定し、該設定されたサンプリングクロックで入力映像信号を一定数サンプリングするステップと、該サンプリングにより得られたデジタル画像信号の値から該設定されたサンプリングクロックと入力映像信号との間の位相差を表す位相データを求めるステップと、サンプリングクロックの位相を前記第１の位相値に戻して入力映像信号をサンプリングするステップと、前記フレームメモリへのデジタル画像信号の書き込みを再開するステップとからなる処理を、前記第２の位相値を所定の値だけ増分させながら所定回数実行し、サンプリングクロックの位相値を、該処理により得られた所定回数分の位相データに基づいて決定される最適位相値に設定することを特徴とするサンプリングクロックの自動位相調整方法により解決される。
【００１０】
前記位相データを、隣り合う２つのデジタル画像信号の値の差の絶対値を前記一定数のデジタル画像信号について累積した値とし、該累積値が極小になる２つの位相データのそれぞれの第２の位相値の中間値を最適位相値とすることができる。
【００１１】
前記位相データを、時間的に前後する２つのフレーム間で、対応する画素位置のデジタル画像信号同士が全て一致する水平走査ラインの個数とし、該個数が最大となる位相データの前記第２の位相値を最適位相値とすることができる。
【００１２】
上記課題は、また、入力映像信号をサンプリングクロックに従いサンプリングしてデジタル画像信号に変換するＡ／Ｄ変換器と、該デジタル画像信号が書き込まれるフレームメモリと、該フレームメモリから読み出されたデジタル画像信号に従い映像を表示する表示手段とを含む表示装置において、
サンプリングクロックの位相の現在の値を第１の位相値として記憶した後に、前記フレームメモリへのデジタル画像信号の書き込みを停止するステップと、サンプリングクロックの位相を第２の位相値に設定し、該設定されたサンプリングクロックで入力映像信号を一定数サンプリングするステップと、該サンプリングにより得られたデジタル画像信号の値から該設定されたサンプリングクロックと入力映像信号との間の位相差を表す位相データを求めるステップと、サンプリングクロックの位相を前記第１の位相値に戻して入力映像信号をサンプリングするステップと、前記フレームメモリへのデジタル画像信号の書き込みを再開するステップとからなる処理を、前記第２の位相値を所定の値だけ増分させながら所定回数実行し、サンプリングクロックの位相値を、該処理により得られた所定回数分の位相データに基づいて決定される最適位相値に設定する、サンプリングクロックの自動位相調整手段を備えたことを特徴とする表示装置により解決される。
【００１３】
【発明の実施の形態】
図１は、サンプリングクロック位相自動調整機能を有する本発明の表示装置の実施形態の構成を示している。同図において、１は入力映像信号をサンプリングしデジタル画像データに変換するＡ／Ｄ変換器、２はデジタル画像データを１フレーム分記憶するためのフレームメモリ、３はフレームメモリ２への画像データの書き込み及び読み出しを行うフレームメモリアクセス回路、４は、不図示の入力映像信号源から供給される同期信号からサンプリングクロックを生成するＰＬＬ回路、５はフレームメモリアクセス回路３を制御して画像データの書き込み及び読み出しの開始、停止を制御すると共にＰＬＬ回路４を制御してサンプリングクロックの位相を調整するコントローラ、６はサンプリングの位相調整の開始時、サンプリングクロックの位相の現在の値を記憶するメモリである。フレームメモリ２から読み出されたデジタル画像データは映像処理回路により処理され、不図示の表示部に映像が表示される。
【００１４】
上記の構成を有する表示装置におけるサンプリングクロック位相の自動調整動作を図２のフローチャートを参照して説明する。
【００１５】
先ず、調整前のサンプリングクロックの位相の現在の値ｐｘをメモリ７に記憶し（ステップＳ１）、ｎを０にセットする（ステップＳ２）。
【００１６】
フレームメモリアクセス回路３を制御し、フレームメモリ２へのデジタル画像データの書き込みを停止する（ステップＳ３）。これにより表示画面の更新が停止される。
【００１７】
ＰＬＬ回路４を制御し、サンプリングクロックの位相をｐｎに設定し（ステップＳ４）、そのときの位相データｒｎを取り込む（ステップＳ５）。尚、ｐｎは前に説明したようにｐ０＋ｎ・δに等しい。
【００１８】
再びＰＬＬ回路４を制御し、サンプリングクロックの位相をメモリ７に記憶しておいた調整前の値ｐｘに戻し（ステップＳ６）、フレームメモリアクセス回路３を制御し、フレームメモリ２に対するデジタル画像データの書き込みを再開する（ステップＳ７）。
【００１９】
コントローラ５は垂直同期信号を２つカウントするまで待ち、調整前の位相値のサンプリングクロックで読み込まれたデータで画面が書き換えられるのを待つ。これにより、画面はクロック調整開始前の状態で更新が再開される（ステップＳ８）。
【００２０】
ｎの値に１を加え（ステップＳ９）、ステップＳ３に戻る。ステップＳ４でクロック位相の値を微小量δだけ増加させてステップＳ５〜ステップＳ９を再び実行する。以上の処理をｎが所定の値Ｎに等しくなり、位相データの取り込みが完了するまで繰り返す。
【００２１】
以上の処理により、Ｎ個の位相データｒｎを取り込んだら、それらの値から最適なサンプリングクロックの位相値を求める（ステップＳ１０）。
【００２２】
尚、位相データｒｎは、サンプリングクロック信号と入力映像信号との間の位相関係を表すデータであり、読み込まれたサンプルから得ることができる。位相データｒｎとしては、特開平１１−２８２３９９号公報に記載されているように、隣り合う２つのサンプルの値の差の絶対値を所定数のサンプルにわたって累積した値、あるいは特開平７−２１９４８５号公報に記載されているように、時間的に前後する２つのフレーム間で、対応する画素位置のサンプル同士が全て一致する水平走査ラインの数を用いることができる。
【００２３】
尚、特開平１１−２８２３９９号公報に記載の例では、入力映像信号のエッジとサンプリングクロックのエッジが一致（位相差が０度）しているときにはサンプリングが正しく行われず累積値が極小となることから、累積値が極小となる２つの位相データの位相値の中間値を最適位相とすることができる。また、特開平７−２１９４８５号公報に記載の例では、対応する画素位置のサンプル同士が全て一致する水平走査ラインの数が最大となる位相データの位相値を最適位相とすることができる。
【００２４】
以上説明したように、本実施形態では、画面表示の更新を１フレーム期間停止させ、その間に位相データを取り込み、次に画面表示の更新を再開させ、１つまたは複数のフレームを表示した後、再度画面表示の更新を停止させて別の位相データを取り込む。この処理を繰り返すことにより最適位相の決定に必要な全ての位相データを取り込むことができる。位相データの取り込み中は画面表示の更新が停止するが、それは１フレーム期間の短時間であるので画質の低下はほとんど認識されない。従って、表示装置の使用中にサンプリングクロックの位相を自動調整することができる。
【００２５】
【発明の効果】
請求項１に記載の発明によれば、表示装置の使用中に、表示画面ににじみ等の画質低下を発生させることなく、サンプリングクロックの位相を最適な値に自動調整することができる。
【００２６】
請求項２に記載の発明によれば、入力映像信号の隣り合うサンプルの差分の累積値から、最適位相を決定することができる。
【００２７】
請求項３に記載の発明によれば、時間的に前後する２つのフレーム間で、対応する画素位置のデジタル画像信号同士が全て一致する水平走査ラインの数により最適位相を決定することができる。
【００２８】
請求項４に記載の発明によれば、使用中に、表示画面ににじみ等の画質低下を発生させることなく、サンプリングクロックの位相を最適な値に自動調整することができる表示装置が提供される。
【図面の簡単な説明】
【図１】  サンプリングクロック位相自動調整機能を有する本発明の表示装置の実施形態の構成図である。
【図２】  図１の表示装置におけるサンプリングクロック位相自動調整の動作を説明するフローチャートである。
【図３】  従来のサンプリングクロック位相自動調整の動作を説明するフローチャートである。
【符号の説明】
１  Ａ／Ｄ変換器、  ２  フレームメモリ、  ３  フレームメモリアクセス回路、  ４  ＰＬＬ回路、  ５  コントローラ、  ６  メモリ。
【図１】
0004603130.tif 000002
【図２】
0004603130.tif 000003
【図３】
0004603130.tif 000004